(57)【要約】【課題】本発明は、少ない部品で配線覆いの片下がりを防止する配線覆いの取り付け構造を提供することを目的としている。【解決手段】本発明に係る配線覆いの取り付け構造において、配線覆いは、箱体の底面に少なくとも上下２カ所に設けた覆い立て６ａ、６ｂに蝶着され、上部蝶番７ａを下部蝶番７ｂの取り付け位置より内側へずらし、覆い立て６の固定用取り付け穴１１にタップを施し、タップでねじ締めにより覆い立て６を持ち上げることで配線覆い取り付けの支点を移動させて配線覆いを支持することを特徴とする。【選択図】        図３
2004364465.tif 000002
【特許請求の範囲】
【請求項１】
前面に開口部を設けた箱体に各種電気機器を載置した分電盤の、前記開口部に前記電気機器を被覆するように取り付けられる配線覆いの取り付け構造であって、前記配線覆いは、前記箱体の底面に少なくとも上下２カ所に設けた覆い立てに蝶着され、下部蝶番を上部蝶番の取り付け位置より内側へずらし、前記覆い立ての固定用取り付け穴にタップを施し、該タップでねじ締めにより前記覆い立てを持ち上げることで配線覆い取り付けの支点を移動させて前記配線覆いを支持することを特徴とする配線覆いの取り付け構造。
【請求項２】
前記配線覆いの取り付け構造であって、前記下部蝶番の受け金具をスライド移動可能とし、取り付け位置を変更できることを特徴とする請求項１に記載の配線覆いの取り付け構造。
【発明の詳細な説明】
【０００１】
【発明の属する技術分野】
本発明は、前面に開口部を設けた箱体に各種電気機器を載置した分電盤の、開口部に電気機器を被覆するように取り付けられる配線覆いの取り付け構造に関する。
【０００２】
【従来の技術】
従来の配線覆いの取り付け構造は、分電盤の箱体底面に一直線上に少なくとも上下二カ所覆い立てを取り付け、この覆い立てにより配線覆いを支持させ、箱体の開口を施蓋している（例えば特許文献１参照。）。
【０００３】
【特許文献１】
実開平７−４２９７８号公報
【０００４】
【発明が解決しようとする課題】
しかしながら上記従来技術における配線覆いの取り付け構造では、配線覆いの荷重により上側に設けられた覆い立ては内側に、下側に設けられた覆い立ては外側に傾斜することがあり、配線覆いが片下がりする虞があった。または、配線覆いの開閉時に覆い立ての取り付け台の歪みなどの影響を受け、配線覆いが片下がりして扉が本体に当たったり、開口が機器に当たったりして開閉動作に支障があった。
【０００５】
【課題を解決するための手段】
そこで本発明は、少ない部品で配線覆いの片下がりを防止する配線覆いの取り付け構造を提供することを目的とし、その構造は、配線覆いは、前記箱体の底面に少なくとも上下２カ所に設けた覆い立てに蝶着され、下部蝶番を上部蝶番の取り付け位置より内側へずらし、覆い立ての固定用取り付け穴にタップを施し、タップでねじ締めにより覆い立てを持ち上げることで配線覆い取り付けの支点を移動させて配線覆いを支持することを特徴とする。
【０００６】
また、下部蝶番の受け金具をスライド移動可能とし、取り付け位置を変更できることを特徴とする。
【０００７】
【発明の実施の形態】
本発明に係る配線覆いの取り付け構造は、本体の底面に覆い立てを立設し、覆い立てに蝶番を取り付けて配線覆いを回動動作により開閉可能に取り付ける。覆い立てを固定するための取り付け穴にタップを施し、ねじ止めにより固定する。ねじを締めることによって、覆い立てを持ち上げ配線覆いの取り付けの支点を移動させて片下がりを防ぐことができる。
【０００８】
また、本発明の請求項２に係る配線覆いの取り付け構造は、下側蝶番の受け金具をスライド移動可能に取り付け、分電盤設置後に配線覆いの片下がりが発生した場合、蝶番の取り付け位置を変更して片下がりを矯正する。
【０００９】
【実施例】
本発明に係る配線覆いの取り付け構造の実施例を図１〜図４の添付図面に基づいて説明する。
【００１０】
分電盤１は前面に開口２を有する箱体３に各種電気機器を収納して成り、開口２は回動動作により開閉可能である配線覆い４で施蓋し、機器や配線を保護する。箱体３の底面５に覆い立て６を立設し、覆い立て６の上端部に配線覆い４を蝶着するための蝶番７を受ける受け金具８を取り付け、受け金具８に蝶番７を支持させ配線覆い４を箱体３取り付ける。
【００１１】
覆い立て６は固定部９と受け部１０とを有し、固定部９には取り付け穴１１を設け、取り付け穴１１にはタップ１２を施しねじ止めにより分電盤１の箱体３に覆い立て６を固定する。受け部１０に受け金具８を取り付け、受け金具８に蝶番７取り付けて配線覆い４を蝶着する。覆い立て６はねじ止めにより持ち上がり、配線覆い取り付けの支点が移動するので、配線覆い４の片下がりを防止することができる。
【００１２】
さらに、覆い立て６は分電盤の箱体底面に少なくとも上下２カ所に設け、覆い立て６ａ、６ｂそれぞれに上側蝶番７ａと下側蝶番７ｂとを設ける。上側蝶番７ａと下側蝶番７ｂの配線覆い支持点を分電盤の正面から見て、下蝶番７ｂの方を箱体内側にずらして設ける。配線覆いの荷重により上側覆い立て７ａは内側に、下側覆い立て７ｂは外側に傾斜する傾向にあるので、上側覆い立て７ａと下側覆い立て７ｂを左右にずらして設けることで、配線覆いの片下がりを防止する。
【００１３】
本発明の請求項３に係る配線覆いの取り付け構造を図５の添付図面に基づいて説明する。
【００１４】
分電盤設置後に、覆い立て１３の取り付け面の強度不足等により配線覆いの片下がりが発生した場合、矯正できるように、配線覆いの荷重をより多く受ける下側蝶番の受け金具１４ｂをスライド移動可能にするため、取り付け穴１５を長孔に形成する。受け金具１４ｂの取り付け位置は長孔の範囲において変更が可能であり、配線覆いが片下がりして分電盤の箱体の開口をうまく施蓋できなくなった場合、受け金具１４ｂの位置を移動させて片下がりを矯正する。
【００１５】
スライド可能な蝶番金具は図５に示すように覆い立て側に設けるものに限定されるものではなく、配線覆い側に設けても良い。また、覆い立て本体の取り付け穴を長孔にしても良い。
【００１６】
覆い立て本体のタップ穴は適宜変更可能とする。
【００１７】
【発明の効果】
以上述べたように本発明に係る配線覆いの取り付け構造は、配線覆いは、箱体の底面に少なくとも上下２カ所に設けた覆い立てに蝶着され、下部蝶番を上部蝶番の取り付け位置より内側へずらし、覆い立ての固定用取り付け穴にタップを施し、タップでねじ締めにより覆い立てを持ち上げることで配線覆い取り付けの支点を移動させて前記配線覆いを支持するため、部品点数を削減しながらも、覆い立て取り付け面の強度に関係なく、配線覆いの片下がりを防止することができる。また分電盤の設置場所の取り付け条件に左右されることなく、配線覆いの片下がりを防ぐことができる。
【００１８】
また、下部蝶番の受け金具をスライド移動可能とし、取り付け位置を変更できるため、分電盤設置後に配線覆いが片下がりを発生した場合、受け金具を移動させて配線覆いの支持位置を変更し、片下がりを矯正することができる。
【図面の簡単な説明】
【図１】本発明に係る分電盤を示す説明図である。
【図２】本発明に係る配線覆いの取り付け構造を示す側面図である。
【図３】本発明に係る配線覆いの取り付け構造を示す正面図である。
【図４】本発明に係る覆い立てを示す斜視図である。
【図５】本発明に係る配線覆いの受け金具を示す正面図である。
【符号の説明】
１      分電盤
２      開口
３      箱体
４      配線覆い
５      底面
６      覆い立て
６ａ    上側覆い立て
６ｂ    下側覆い立て
７      蝶番
７ａ    上側蝶番
７ｂ    下側蝶番
８      受け金具
９      固定部
１０    受け部
１１    取り付け穴
１２    タップ
１３    覆い立て
１４ｂ  受け金具
１５    取り付け穴
【図１】
2004364465.tif 000003
【図２】
2004364465.tif 000004
【図３】
2004364465.tif 000005
【図４】
2004364465.tif 000006
【図５】
2004364465.tif 000007